【事件の表示】
　平成７年特許願第３２５１０６号「打ち込みネジの打ち回し機におけるネジガイド機構」拒絶査定不服審判事件〔平成９年６月３日出願公開、特開平９−１４１５６４〕について、次のとおり審決する。
【結　論】
　本件審判の請求は、成り立たない。
【理　由】
１．手続の経緯・本願発明
　本願は、平成７年１１月２０日の出願であって、その請求項１に係る発明（以下、「本願発明」という。）は、平成１６年３月８日付け手続補正書により補正された明細書及び図面の記載からみて、その特許請求の範囲の請求項１に記載された事項により特定される次のとおりのものと認められる。
「ボディ内に設けられた打撃シリンダ内に打ち回し用ビットを備えた打撃ピストンを上下に摺動自在に収容し、打撃シリンダ内に圧縮空気を供給して上記打撃ピストンを駆動させて上記ボディの先端に設けられたノーズ部内の打ち込みネジを打撃する打ち込みネジの打撃機構と、エアモータにより上記打撃ピストンの駆動により打撃された打ち込みネジを該ねじ込みネジ頭部に形成された溝に上記ビットの先端を係合させてねじ込む回転機構とを備えた打ち回し機において、
　上記ノーズ部に沿って摺動可能で、かつその先端を被打込み材に押し付けることによりボディ側に押し込まれるように設けられたコンタクトアームの先端には、ノーズ部内の打ち込みネジを上記ビットの延長方向にガイドするガイドチャックを取り付けるとともに、ガイドチャックよりも先端側に被打込み材に当接する当接部を有する短筒状のコンタクトトップを配置し、該コンタクトトップの両側に形成された係合片を上記コンタクトアームの両側面に対し、上記係合片とコンタクトアームの一方に形成した突部と他方に形成した溝部に係脱させることによって着脱可能に設けたことを特徴とする打ち込みネジの打ち回し機におけるネジガイド機構。」
　
２．刊行物記載の発明（事項）
　これに対して、当審における、平成１５年１０月１５日付けで通知した拒絶の理由に引用され、本願の出願前に国内で頒布された刊行物である、特開昭６１−２５７７８４号公報（以下、「刊行物１」という。）、実願平２−１１７１４３号（実開平４−７３４７６号）のマイクロフィルム（以下、「刊行物２」という。）及び特開平５−３１６７７号公報（以下、「刊行物３」という。）には、以下のとおり記載されている。
　
（１）刊行物１
（イ）第１頁左下欄２０行〜同頁右下欄６行
「［産業上の利用分野］　本発明は、・・・打込みネジ用装着工具に関するものである。」
（ロ）第３頁右上欄１６行〜同頁左下欄１０行
「第１実施例　まず、本発明の第１実施例を第１図及び第２図を参照しながら説明する。図において、１はケース本体・・・。このケース本体１内部には、第１シリンダ部材５ａと第２シリンダ部材５ｂとからなるシリンダ５が収納されている。第１シリンダ部材５ａ内には、ピストン６が気密且つ摺動自在に挿入されており、７はネジ打込みドライバーで、これは軸部７ａとこの軸部７ａに着脱自在に結合されるドライバー本体７ｂとから構成されている。」
（ハ）第３頁左下欄１１行〜１４行
「なお、図示省略してあるが、このドライバー本体７ａに変え、各種ネジ打込みネジの頭部形状に合わたビット構成のものに交換できるようにすることが可能である。」
（ニ）第６頁左上欄４行〜６行
「ウォーム６２は、支持ブロック５９に取付けたエアモータ・・・等の駆動モータ６３の出力軸６３ａに結合してある。」
（ホ）第６頁左下欄７行〜８行
「ノーズ６７の先端に設けたネジ部６７ｂには、拡開部材７５のネジ部材７６を螺合してあり」
（ヘ）第６頁右下欄１行〜１８行
「したがって、この実施例によると、トリガーバルブ１３の操作棒２７を操作すると、ピストン上室２８に圧縮エアが供給されてピストン６が下降し、ドライバー７の上端を打ち、打込みネジ６６を対象物７９に打込むことができる。・・・ピストン６がピストン衝接面４１に当ると、作動軸５５ａが作動し、ボール弁５４がエア通路５２を開いて、ピストン上室２８の圧縮エアが、ピストン下室５１に入り、ドライバー７に推力を加える。これと同時に空室４９に圧縮エアが入り、リミットスイッチ６４が作動し、駆動モータ６３が駆動してドライバー７が回転し、打込みネジ６６は、推力を加えられながら、対象物７９にネジ込まれる。」
　上記（イ）、（ロ）、（ニ）〜（ヘ）の摘記事項及び第１図の記載からみて、刊行物１には、
「ケース本体１内に設けられた、第１シリンダ部材５ａと第２シリンダ部材５ｂとからなるシリンダ５内にネジ打込みドライバー７を備えたピストン６を上下に摺動自在に収容し、シリンダ５内に圧縮エアを供給して上記ピストン６を駆動させて上記ケース本体１の先端に設けられたノーズ６７内の打込みネジ６６を打撃する打込みネジ６６の打撃機構と、エアモータからなる駆動モータ６３により上記ピストン６の駆動により打撃された打込みネジ６６をねじ込む回転機構とを備えた打込みネジ用装着工具において、
　上記ノーズ６７の先端に拡開部材７５を設けた、打込みネジ６６の打込みネジ用装着工具におけるネジガイド機構」の発明（以下、「刊行物１記載の発明」という。）が記載されているものと認められる。
　
（２）刊行物２
（イ）明細書第２頁１３行〜第３頁２０行
「釘打機のノーズ部の先端部に通常閉じ方向にバネ付勢された釘軸釘ガイド要素を配置した釘打機が知られている・・・。・・・ところで、一般に釘打機で釘を打込む場合に、釘に打撃を与えるピストンに作用する圧縮空気の反作用が釘打機ボデーに作用して釘打機が上方に持ち上げられるいわゆる反動が発生する。そして、釘打機の上部後方側にはグリップが形成されており、作業者がこの部分を把持していることから、上記反動によって釘打機のノーズ部の先端部は前方上向きに移動させられる。この結果、釘を打撃するドライバ部材の先端が釘の頭部から外れて被打込み材表面を打撃してその表面に傷をつけたり、釘の頭部を変形させたり、好ましくない状態が発生することがあった。上記先行技術のガイド要素を設けた工具の場合は、ノーズ部内の釘軸は動かないが、釘ガイド要素が動くので、上記と同じ現象が発生する。」
（ロ）明細書第８頁７行〜第９頁５行
「上記釘打機には、上記駆動機構がトリガレバー７の操作のみで作動しないようにするために安全装置が設けられている。この安全装置は、通常の釘打機に採用されているものと同様に、ノーズ部４の軸線方向に沿ってコンタクト部材８を摺動可能に設け、その基端を上記トリガレバー７に対向させる一方、先端係合部８ａをノーズ部４の先端部に配置し、上記先端係合部８ａを被打込み材料面に係合させて押し付けることによりコンタクト部材８を摺動させ、その基端がトリガレバー７を押し込んだときに初めてトリガレバー７の操作が有効になるように構成されている。コンタクト部材８の先端係合部８ａは円筒状に形成され、ノーズ部４を包囲して配置されている。この係合部８ａは常時はノーズ部４の先端よりもさらに突出した位置に位置し、被打込み材料面と係合してノーズ部４の軸線方向に沿って移動可能に設けられている。」
　
（３）刊行物３
（イ）【請求項１】
「止具等を打撃打込むための打込機の射出部先端に射出部軸線方向に移動可能な安全装置を有し、かつ被打込材を保護する保護部材を、前記安全装置に着脱可能に配した打込機において、弾性体からなる止具案内部材を、前記安全装置と保護部材との間で狭み固定したことを特徴とする打込機の止具案内構造。」
（ロ）段落【０００６】〜【０００７】
「【実施例】　図３は本考案を採用した打込機の一実施例を示す全体図である。図１、２は本考案の止具案内構造の要部を示している。図において、本体１の先端には射出部２が備えられている。射出部２の内側には止具打込通路３があり、打込棒４が摺動できるようになっている。射出部２の先端には安全装置５が設けられている。安全装置５の先端には被打込材を保護するための保護部材６が着脱可能に取付けられている。・・・以上の構造の打込機において、前記安全装置５と保護部材６との間に止具案内部材７が設けられている。該止具案内部材７は弾性材で構成されている。また止具案内部材７は円形で、中央部が屈曲して突出している。この突出部７ａには割溝７ｂが設けられ、数片に分かれている。止具案内部材７は、突出部７ａが下向きとなるように組込まれる。止具打込時、止具８の先端は突出部７ａによって打込通路３の中心へ案内される。止具８が止具案内部材７を通過する時は、止具案内部材７自体が止具８を保持しながら変形する。」
（ハ）段落【０００８】
「【考案の効果】　本考案によれば、保持部材と弾性体とを弾性材料によって一体成形された止具案内部材としたので、安価な止具案内構造とすることができる。また、止具案内部材を安全装置と保護部材との間で狭み固定することができ、部品点数も１点だけにすることができたので、補修交換を簡単にすることができる。」
　ところで、保護部材６は、安全装置５との間で円形の止具案内部材７を保持するものであること、また、図１に示される保護部材６の断面形状から、保護部材６の形状は筒状であると認められ、そうすると、上記（イ）、（ロ）の摘記事項及び図１の記載からみて、刊行物３には、
「本体１の先端に備えられ、内側に止具打込通路３を有する射出部２の先端に設けられ射出部軸線方向に移動可能な安全装置５の先端には、射出部２内の止具８を打込棒４の延長方向にガイドする止具案内部材７を取り付けるとともに、止具案内部材７よりも先端側に被打込材を保護するための筒状の保護部材６を配置し、該保護部材６の両側に形成された係合片を上記安全装置５の両側面に対し、上記係合片とコンタクトアームの一方に形成した突部と他方に形成した溝部に係脱させることによって着脱可能に設けた、止具の打込機における止具案内構造」（以下、「刊行物３記載の事項」という。）が記載されているものと認められる。
　
３．対比
　本願発明と刊行物１記載の発明とを対比すると、後者の「ケース本体１」は、その技術的意義からみて、前者の「ボディ」に相当し、以下同様にして、後者の「第１シリンダ部材５ａと第２シリンダ部材５ｂとからなるシリンダ５」は前者の「打撃シリンダ」に、後者の「ピストン６」は前者の「打撃ピストン」に、後者の「圧縮エア」は前者の「圧縮空気」に、後者の「ノーズ６７」は前者の「ノーズ部」に、後者の「打込みネジ６６」は前者の「打ち込みネジ」に、後者の「エアモータからなる駆動モータ６３」は前者の「エアモータ」に、後者の「打込みネジ用装着工具」は前者の「打ち回し機」に、後者の「拡開部材７５」は前者の「ガイドチャック」に、それぞれ相当する。そして、後者の「ネジ打込みドライバー７」と前者の「打ち回し用ビット」とは、「打ち回し用部材」の限りで一致する。
　してみると、両者の一致点及び相違点は、以下のとおりである。
〈一致点〉ボディ内に設けられた打撃シリンダ内に打ち回し用部材を備えた打撃ピストンを上下に摺動自在に収容し、打撃シリンダ内に圧縮空気を供給して上記打撃ピストンを駆動させて上記ボディの先端に設けられたノーズ部内の打ち込みネジを打撃する打ち込みネジの打撃機構と、エアモータにより上記打撃ピストンの駆動により打撃された打ち込みネジをねじ込む回転機構とを備えた打ち回し機において、ネジガイド機構を有する点。
〈相違点１〉前者の打ち回し用部材は打ち回し用ビットであり、打ち込みネジをねじ込みネジ頭部に形成された溝に打ち回し用部材の先端を係合させてねじ込むのに対して、後者の打ち回し用部材はネジ打込みドライバーであり、打ち込みネジをねじ込みネジ頭部に形成された溝に打ち回し用部材の先端を係合させてねじ込むか否かが明らかではない点。
〈相違点２〉前者のネジガイド機構は、「ノーズ部に沿って摺動可能で、かつその先端を被打込み材に押し付けることによりボディ側に押し込まれるように設けられたコンタクトアームの先端には、ノーズ部内の打ち込みネジを打ち回し用部材の延長方向にガイドするガイドチャックを取り付けるとともに、ガイドチャックよりも先端側に被打込み材に当接する当接部を有する短筒状のコンタクトトップを配置し、該コンタクトトップの両側に形成された係合片を上記コンタクトアームの両側面に対し、上記係合片とコンタクトアームの一方に形成した突部と他方に形成した溝部に係脱させることによって着脱可能に設けた」ものであるのに対して、後者のネジガイド機構は、ノーズ部の先端にガイドチャックを設けたものである点。
　
４．当審の判断
　上記相違点１、２等について、以下検討する。
〈相違点１について〉
　刊行物１には、打ち回し用部材としてのネジ打込みドライバーを、各種ネジ打込みネジの頭部形状に合わたビット構成のものに交換し得る旨記載されているから（刊行物１の摘記事項（ハ）を参照）、刊行物１記載の発明におけるネジ打込みドライバーを打ち回し用ビットとし、打ち込みネジをねじ込みネジ頭部に形成された溝に打ち回し用部材の先端を係合させてねじ込むようにすることは、当業者が容易になし得ることである。
〈相違点２について〉
　刊行物３記載の事項における「本体１の先端に備えられ、内側に止具打込通路３を有する射出部２」は、その技術的意義からみて、本願発明の「ノーズ部」に相当し、同様にして、「打込棒４」は「ビット」に、「止具案内部材７」は「ガイドチャック」に、「被打込材を保護するための筒状の保護部材６」は「被打込み材に接する当接部を有する短筒状のコンタクトトップ」に、それぞれ相当する。また、ノーズ部の軸線方向に沿って摺動可能に設けた止具打込機の安全装置を「コンタクト部材」と云うことは、刊行物２の摘記事項（ロ）に記載されているように本願の出願前に周知の事項であり、しかも、本願発明のコンタクトアームが安全装置を構成するものであることからみると（本願明細書の段落【００１１】を参照）、刊行物３記載の事項における「射出部２の先端に設けられ射出部軸線方向に移動可能な安全装置５」は、本願発明の「ノーズ部に沿って摺動可能で、かつその先端を被打込み材に押し付けることによりボディ側に押し込まれるように設けられたコンタクトアーム」に相当するものと云うことができる。さらに、刊行物３記載の事項における「止具８」及び「止具打込機の止具案内構造」と本願発明の「打ち込みネジ」及び「ネジの打ち回し機におけるネジガイド機構」とは、「止具」及び「止具打込機の止具ガイド機構」の限りで、それぞれ一致する。
　そうすると、刊行物３には、「ノーズ部に沿って摺動可能で、かつその先端を被打込み材に押し付けることによりボディ側に押し込まれるように設けられたコンタクトアームの先端には、ノーズ部内の止具をビットの延長方向にガイドするガイドチャックを取り付けるとともに、ガイドチャックよりも先端側に被打込み材に接する当接部を有する短筒状のコンタクトトップを配置し、該コンタクトトップの両側に形成された係合片を上記コンタクトアームの両側面に対し、上記係合片とコンタクトアームの一方に形成した突部と他方に形成した溝部に係脱させることによって着脱可能に設けた」止具の打込機における止具ガイド機構が示されていると云うことができる。
　そして、当該刊行物３に示される止具ガイド機構と刊行物１記載の発明とは、「止具の打込機における止具ガイド機構」という技術分野を共通にするものであり、しかも、刊行物１記載の発明に刊行物３に示される止具ガイド機構を適用することを妨げる特段の事情を見出せないから、刊行物１記載の発明における止具ガイド機構であるネジガイド機構に刊行物３に示される止具ガイド機構を適用して、刊行物１記載の発明の相違点２に係る構成を本願発明のものとすることは、当業者が容易になし得ることと認められる。
〈本願発明の作用効果について〉
　本願発明の作用効果は、「従来のガイドチャック３１はノーズ部３３の先端に取り付けられていたから、打ち込みの際に生じる反力によりボディが浮き上がるとき、ガイドチャック３１も同時に浮き上がってしまう。このため、ビット３４の先端が打ち込みネジ３０のネジ頭部の溝からずれて外れ易く、ねじ込み不良が生じることがあった。」との課題は従来周知のものであること（刊行物２の摘記事項（イ）を参照）、刊行物３記載の止具ガイド機構が「補修交換を簡単にすることができる」との作用効果を有すること（刊行物３の摘記事項（ハ）を参照）を勘案すると、刊行物１記載の発明、刊行物３に示される技術思想、及び従来周知の事項から当業者が予測可能な範囲内のものであって、格別のものではない。
　
５．むすび
　以上のとおりであるから、本願発明は、刊行物１記載の発明、刊行物３に示される技術思想、及び従来周知の事項に基づいて当業者が容易に発明をすることができたものであるから、特許法第２９条第２項の規定により特許を受けることができない。
　よって、結論のとおり審決する。